(57)【要約】【課題】本発明の目的は、高解像力と大寸法のパネルにおける近端と遠端の負荷の差別による充電遅延の問題を解決し、パネルの均一性を保証させ、画面の表示品質を向上させることである。【解決手段】本発明は液晶表示装置の駆動方法であって、液晶パネルの各TFTが所属するゲート行の番号に基づいて、デートライン入力電圧に対して補償を行うステップと、補償されたデータライン入力電圧を液晶パネルに出力するステップとを含む。本発明は、まず液晶パネルの各TFTが所属するゲート行の番号に基づいて入力電圧に対して補償を行い、前述補償後の入力電圧を各行のTFTに出力し、そして、全部ゲートラインでの画素の充電量を保障するように、ゲートライン行番号の増加につれて、入力電圧を次第に増大させる。【選択図】図1
2009086630.tif 000002
【特許請求の範囲】
【請求項１】
液晶パネルの各TFTが所属するゲート行の番号に基づいて、デートライン入力電圧を補償するステップ1と、 
補償されたデータライン入力電圧を液晶パネルに出力するステップ2と、
を含むことを特徴とする液晶表示装置の駆動方法。
【請求項２】
前記ステップ1は、
i=1，j=1とするステップ11と、
i行目、j個目のTFTのデートライン入力電圧を読取るステップ12と、
前述TFTが所属するゲート行の番号とデートライン入力電圧値に基づいて、補償表の中から対応する補償値を検索するステップ13と、
前述補償値を前述i行目、j個目のTFTのデートライン入力電圧に加え、補償後のデートライン入力電圧を形成するステップ14と、
ｍを一つ行内のTFTの個数として、j=mであるか否かを判断し、Yesであれば、ステップ17を実行し、Noであれば、ステップ16を実行するステップ15と、
j=j+1として、ステップ12を実行するステップ16と、
ｎをTFTの行数として、i=nであるか否かを判断し、Yesであれば、ステップ19を実行し、Noであれば、ステップ18を実行するステップ17と、ここで、
i=i+1として、ステップ12を実行するステップ18と、
デートライン入力電圧補償が終わるステップ19と、
を具体的に含むことを特徴とする請求項１に記載の液晶表示装置の駆動方法。
【発明の詳細な説明】
【技術分野】
【０００１】
本発明は、表示装置の制御方法に関し、特に液晶表示装置の駆動方法に関する。 
【背景技術】
【０００２】
薄膜トランジスタ（TFT）の液晶表示装置 (TFT-LCD)は、軽量、薄型、使用電力が低いなどの特徴を持ち、携帯電話、ディスプレイ及びテレビ等装置に幅広く使われる。
【０００３】
TFT-LCDが主に液晶パネル、ゲートドライバー、データドライバー、シーケンスコントローラとバックライトを備える。液晶パネルは、アレイ基板と、CF（Color Filter）膜基板と、それらの間に設置された液晶とからなる。データラインとゲートラインはアレイ基板で形成され、ゲートラインとデータラインとの交差点で配置されたTFTは、データ信号を液晶パネルに転送することに用いられる。ゲートドライバーがゲートラインにパルス信号を提供し、データドライバーはデータラインにデータストリームを提供する。背光源が液晶パネルに光を提供することに使われる。背光源は、光源と、光源を包む外枠と拡散板とを含む。背光源は、インバータにより制御され、複数の背光源は、インバータの制御信号に基づいては順次に起動し、光線は、反射板と拡散板を通じて液晶パネルの方向に射出する。シーケンスコントローラは、入力された同期信号(水平同期信号と、垂直同期信号と、データ有効信号)に基づいて、各部分の必要なデータライン制御信号とゲートライン制御信号を生成するとともに、インバータを駆動する。データドライバーは、シーケンスコントローラが生成する制御信号に基づいて入力された信号を、液晶の必要なデータライン入力電圧に変換してTFTに入力し、入力されたデータがシーケンスコントローラの信号に基づいて同期的に動作する。
【０００４】
前記従来のTFT-LCDが使用されている場合、異なるゲートラインの行でTFTの動作状態はある程度の差別が存在し、特に高解像力、ライン負荷がとても大きい大型パネルの中に、同じゲートライン駆動時間に、異なるゲートラインの行でTFTにより駆動された画素は、異なる充電遅延が現すという現象が存在する。図5は従来技術に係る各ゲート行番号のTFTに電圧を出力する模式図であって、入力端に最も近い第1行のゲートラインG1に対して、データラインの負荷による遅延のため、入力端から遠ければ遠いほど、画素の充電遅延が大きく、これにより、入力端から最も遠い第n行のゲートラインGnでの画素は、必要の充電量に1行分の時間 (1H time)の内に達することができず、したがって、パネル表示がムラになり、全体の画面表示品質に影響する。
【発明の開示】
【発明が解決しようとする課題】
【０００５】
本発明の目的は、画素充電遅延によるパネル表示の不均一など従来の液晶表示装置における技術欠陥を効率的に解決する液晶表示装置の駆動方法を提供することにある。
【課題を解決するための手段】
【０００６】
前述の目的を実現するために、本発明は液晶表示装置の駆動方法を提供する。
前述液晶表示装置の駆動方法は、液晶パネルの各TFTが所属するゲート行の番号に基づいて、デートライン入力電圧を補償するステップ1と、 
補償されたデータライン入力電圧を液晶パネルに出力するステップ2と、を含み、
前述のステップ１は、
i=1，j=1とするステップ11と、
i行目、j個目のTFTのデートライン入力電圧を読取るステップ12と、
前述TFTが所属するゲート行の番号とデートライン入力電圧値に基づいて、補償表の中から対応する補償値を検索するステップ13と、
前述補償値を前述i行目、j個目のTFTのデートライン入力電圧に加え、補償後のデートライン入力電圧を形成するステップ14と、
ｍを一つ行内のTFTの個数として、j=mであるか否かを判断し、Yesであれば、ステップ17を実行し、Noであれば、ステップ16を実行するステップ15と、
j=j+1とし、ステップ12を実行するステップ16と、
ｎをTFTの行数として、i=nであるか否かを判断し、Yesであれば、ステップ19を実行し、Noであれば、ステップ18を実行するステップ17と、
i=i+1とし、ステップ12を実行するステップ18と、
デートライン入力電圧補償が終わるステップ19と、
を具体的に含む。
【０００７】
本発明は、データラインの負荷による画素充電遅延という従来の液晶表示装置における問題に対して、入力電圧の補償により画素充電量を確保する液晶表示装置の駆動方法を提出した。本発明は、まず、液晶パネルの各TFTが所属するゲート行の番号に基づいて入力電圧に対して補償を行い、そして、補償された入力電圧を各行のTFTに出力し、全部ゲートラインでの画素の充電量を保障するように、ゲートライン行番号の増加につれて、入力電圧を次第に増大させる。
【発明の効果】
【０００８】
上述の技術方案は、高解像力と大寸法のパネルにおける近端と遠端の負荷の差別による充電遅延の問題を解決し、パネルの均一性を保証させ、画面の表示品質を向上させる。
【０００９】
以下、図面と実施例によって、本発明の技術方案について更なる詳しい説明をする。
【発明を実施するための最良の形態】
【００１０】
図 1は本発明に係る液晶表示装置の駆動方法のフローチャートであって、具体的には、
ステップ 1：液晶パネルの各TFTが所属するゲート行の番号に基づいて、デートライン入力電圧を補償する； 
ステップ 2：補償されたデータライン入力電圧を液晶パネルに出力する。
【００１１】
本発明の液晶表示装置の駆動方法は、データラインの負荷による画素充電遅延という従来の液晶表示装置における問題に対して、入力電圧の補償により画素の充電量を確保する技術方案を提出した。液晶表示装置は液晶パネルを含む。液晶パネルは、行に配列されるゲートラインと列に配列されるデートラインを含む。行に配列されるゲートラインと列に配列されるデートラインの交差点で、画素を駆動するためのTFTが形成される。デートライン入力電圧は、デートラインを経由して、各ゲートラインに対応する各行のTFTに入力され、各TFTに電圧を加えて、該ところの画素を充電させる。データラインで各TFTが存在するため、データラインの負荷は次第に増える。データラインの負荷の増加による画素充電遅延を補償するために、本発明はまず液晶パネルの各TFTが所属するゲート行の番号に基づいて入力電圧に対して補償を行い、そして補償された入力電圧を各行のTFTに出力し、液晶パネルの各行TFT処の画素が同一時間内所要の充電量に達する。
【００１２】
図2は本発明に係るデートライン入力電圧を補償するフローチャートであって、具体的には：
ステップ11、i=1，j=1とする；
ステップ12、i行目、j個目のTFTのデートライン入力電圧を読取る；
ステップ13、前述TFTが所属するゲート行の番号とデートライン入力電圧値に基づいて、補償表の中から対応する補償値を検索する；
ステップ14、前述補償値を前述i行目、j個目のTFTのデートライン入力電圧に加え、補償後のデートライン入力電圧を形成する；
ステップ15、ｍを一つ行内のTFTの個数として、j=mであるか否かを判断し、Yesであれば、ステップ17を実行し、Noであれば、ステップ16を実行する；
ステップ16、j=j+1として、ステップ12を実行する；
ステップ17、ｎをTFTの行数として、i=nであるか否かを判断し、Yesであれば、ステップ19を実行し、Noであれば、ステップ18を実行ある；
ステップ18、i=i+1として、ステップ12を実行する；
ステップ19、デートライン入力電圧補償が終わる。
【００１３】
図2が示す技術方案の中で、本発明は、一つの補償表を建て、その中で、TFTが所属するゲート行の番号とデートライン入力電圧に相関する補償値が記載される。補償表の行は液晶パネルのゲート行の番号（１〜ｎ）を示し、補償表の列はデートライン入力電圧を示し、補償表はある一つのTFTが所属するゲート行の番号とデートライン入力電圧に対応する補償値を記載した。
【００１４】
本発明は、各行TFTにおけるTFT毎のデートライン入力電圧を順次に読み込み、当該TFTが所属するゲート行の番号とそれが持つデータライン入力電圧に基づいて、当該TFTに対応する補償値を検索することができ、得られた補償値を当該TFTのデータライン入力電圧に加えて、補償後のデータライン入力電圧を形成する。その補償後のデータライン出力電圧は、各行のTFTに出力することにより、当該TFTに印加された電圧値を変え、これにより、液晶パネルで各行TFTの所の画素が同一時間に必要な充電量に到着する。本発明の補償表は試験により獲得することができ、液晶パネルの寸法と、類型と、解像度とモードによって、補償表内の補償値もそれぞれ異なる。
【００１５】
図3は本発明に係る各ゲート行番号のTFTに電圧を出力する模式図である。図3に示すように、入力電圧が補償された後に、データラインを経由して、各行のゲートラインのTFTに出力するのでデータライン入力電圧は可変な電圧であって、ゲート行番号の増加につれて、データラインでの負荷は増大して、そこで、全部ゲートラインでのTFTがゲート駆動時間に必要な充電量に到着するように、出力するのでデータライン入力電圧が次第に増大する。具体的には、第1行のゲートラインG1について、当該行でのTFTがデートラインの入力端から最も近く、負荷が最も小さいため、出力するデータライン入力電圧は比較的に小さい。第100行のゲートラインG100について、当該行でのTFTがデートラインの入力端から比較的に遠いため、当該行でのTFTに出力するデートライン入力電圧が第1行のゲートラインG1でのTFTに出力するデートライン入力電圧より大きい；第n行のゲートラインGnついて、当該行でのTFTがデートラインの入力端から最も遠く、負荷が最も大きいため、当該行でのTFTに出力するデータライン入力電圧は最も大きい。前記技術的方案により、データラインの末端の充電量を有効的に保証し、1行の時間内全部ゲートラインでのTFTに対して、全部画素を必要な充電量に達成させ、パネルの均一性が保証させることができ、画面の表示品質を向上させるようになった。
【００１６】
図4は本発明に係る液晶表示装置の駆動方法を採用する液晶表示装置の構造の模式図である。図4に示すように、液晶表示装置は、液晶パネル10と、シーケンス制御変換器20と、ゲートドライバー40と、デートドライバー50とを備える。液晶パネル10は、ゲートライン11と、デートライン12と、ゲートラインとデートラインとの交差点で形成されるTFT13とを備える。シーケンス制御変換器20は、入力された同期信号に基づいてデートライン制御信号とゲートライン制御信号を生成することに用いられる。ゲートドライバー40は、シーケンス制御変換器20と接続され、シーケンス制御変換器20のゲート制御信号に基づいてゲートパルス信号を生成し、ゲートライン11を経由して液晶パネルのTFTに入力する。デートドライバー50は、シーケンス制御変換器20と接続されるデート駆動モジュールを複数備え、シーケンス制御変換器20のデートライン制御信号に基づいて、デートライン12を経由してデートライン入力電圧を液晶パネルのTFTに入力する。
【００１７】
データライン入力電圧の補償を実現するために、本発明のデータドライバーにデート変換モジュールが設置されている。デート変換モジュールは、各TFTが所属するゲート行の番号の増加につれ、データドライバーにより出力されたデータライン入力電圧値を次第に増大させるように、液晶パネルの各TFTが所属するゲート行の番号に基づいてデータライン入力電圧を補償する。具体的には、本発明のデータ変換モジュールの中には補償表が記憶され、その補償表の中でTFTが所属するゲートライン行の番号とデータライン入力電圧と相関する補償値が記載される。補償表の行は、液晶パネルのゲート行番号(1〜n)を示し、補償表の列はデータライン入力電圧を示す。補償表は、ある一つのTFTが所属するゲート行の番号とデートライン入力電圧に対応する補償値を記載する。データ変換モジュールが各行のTFT毎のデータライン入力電圧を順次に読み込み、当該TFTが所属する行とそれが持つデータライン入力電圧に基づいて、当該TFTに対応する補償値を検索することができる。得られた補償値を当該TFTのデータライン入力電圧に加えることにより、補償後のデータライン入力電圧を形成する。当該補償後のデータライン入力電圧は、データラインを経由して各行のTFTに出力することにより、当該TFTに印加される電圧値を改変し、ゲート駆動時間以内、パネルの各行TFTの所の画素を必要の充電量に達させ、パネルの均一性を保証させ、画面の表示品質を向上させる。
【００１８】
最後に説明するべきなのは：以上実施例は本発明の技術方案を説明することに用いられるに過ぎず、以上実施例に限定されない。好適な実施例を参考して本発明に対して詳細に説明したが、本発明の要旨と範囲を逸脱しない範囲で当業者が本発明の技術方案に対して変更や代用を成し得ることは分かるべきである。
【図面の簡単な説明】
【００１９】
【図１】本発明に係る液晶表示装置の駆動方法に関するフローチャートである。
【図２】本発明に係るデートライン入力電圧を補償するフローチャートである。
【図３】本発明に係る各ゲート行番号のTFTに電圧を出力する模式図である。
【図４】本発明に係る液晶表示装置の駆動方法を採用する液晶表示装置の構造に関する模式図である。
【図５】従来技術に係る各ゲート行番号のTFTに電圧を出力する模式図である。
【符号の説明】
【００２０】
10  液晶パネル      11  ゲートライン      12  デートライン        
13  TFT      20  シーケンス制御変換器      30シーケンスコントローラ      
40  ゲートドライバー        50  デートドライバー
【図１】
2009086630.tif 000003
【図２】
2009086630.tif 000004
【図３】
2009086630.tif 000005
【図４】
2009086630.tif 000006
【図５】
2009086630.tif 000007